(57)【要約】【課題】停電時において適切な措置をとることができるエネルギー管理装置、エネルギー管理システム、及びエネルギー管理システムの制御方法を提供する。【解決手段】商用電源５０からの電力供給を受ける電源入力部１１２と、電源入力部１１２における商用電源５０からの電力供給が無い場合に、停電情報を通信端末１２に通知する制御部１１４と、を備えることを特徴とする。【選択図】図４
2014033578.tif 000002
【特許請求の範囲】
【請求項１】
需要家に設けられ、需要家内の負荷機器あるいは分散電源の電力状態を管理するエネルギー管理装置であって、
電力供給を受ける電源入力部と、
前記電源入力部における商用電源からの電力供給が無い場合に、停電情報を通信端末に通知する制御部と、
を備えることを特徴とするエネルギー管理装置。
【請求項２】
前記電源入力部は、前記電源入力部における前記商用電源からの電力供給が無くなった場合に、分散電源からの電力供給を受け、
前記制御部は、前記分散電源からの電力供給が行われてから前記停電情報を前記通信端末に通知することを特徴とする、請求項１に記載のエネルギー管理装置。
【請求項３】
前記電源入力部は、分散電源からの電力供給を受け、
前記制御部は、前記電源入力部における前記商用電源からの電力供給が無くなると前記エネルギー管理装置をシャットダウンさせ、その後、前記分散電源からの電力供給により前記エネルギー管理装置を再度動作させることを特徴とする、請求項２に記載のエネルギー管理装置。
【請求項４】
前記商用電源からの電力供給により充電され、少なくとも前記シャットダウンの処理の間の電源供給を可能な容量を有するキャパシタをさらに備えることを特徴とする、請求項３に記載のエネルギー管理装置。
【請求項５】
前記電源入力部は、分散電源からの電力供給を受け、
前記制御部は、前記分散電源からの停電状態情報に基づき、前記停電情報を前記通信端末に通知することを特徴とする、請求項２から４のいずれか一項に記載のエネルギー管理装置。
【請求項６】
前記制御部はさらに、前記停電状態情報に基づき、復電情報を前記通信端末に通知することを特徴とする、請求項１から５のいずれか一項に記載のエネルギー管理装置。
【請求項７】
前記制御部は、前記電源入力部における前記商用電源からの電力供給が無くなると前記エネルギー管理装置をシャットダウンさせ、復電後に前記停電情報を前記通信端末に通知することを特徴とする、請求項１に記載のエネルギー管理装置。
【請求項８】
記憶部をさらに備え、
前記制御部は、前記シャットダウンの処理において停電フラグを前記記憶部に格納し、復電後に前記停電フラグに基づき前記停電情報を前記通信端末に通知することを特徴とする、請求項６に記載のエネルギー管理装置。
【請求項９】
前記商用電源からの電力供給により充電され、少なくとも前記シャットダウンの処理の間の電源供給を可能な容量を有するキャパシタをさらに備えることを特徴とする、請求項７又は８に記載のエネルギー管理装置。
【請求項１０】
需要家に設けられて需要家内の負荷機器あるいは分散電源の電力状態を管理するエネルギー管理装置と、通信端末とを備えるエネルギー管理システムであって、
前記エネルギー管理装置は、商用電源からの電力供給が無い場合、停電情報を通信端末に送信し、
前記通信端末は、停電情報を受信した場合、停電情報に基づく表示を行うことを特徴とするエネルギー管理システム。
【請求項１１】
需要家に設けられて需要家内の負荷機器あるいは分散電源の電力状態を管理するエネルギー管理装置と、通信端末とを備えるエネルギー管理システムの制御方法であって、
前記エネルギー管理装置は、商用電源からの電力供給が無い場合、停電情報を通信端末に送信するステップと、
前記通信端末は、停電情報を受信した場合、停電情報に基づく表示を行うステップと、
を含むことを特徴とするエネルギー管理システムの制御方法。
【発明の詳細な説明】
【技術分野】
【０００１】
本発明は、エネルギー管理装置、エネルギー管理システム、及びエネルギー管理システムの制御方法に関する。
【背景技術】
【０００２】
近年、電力需要家ごとに設けられるエネルギー管理装置（例えば、ＨＥＭＳ：Ｈｏｍｅ Ｅｎｅｒｇｙ Ｍａｎａｇｅｍｅｎｔ Ｓｙｓｔｅｍ）によって、電力需要家に設けられる負荷機器や電力需要家に設けられる分散電源などを制御する技術が知られている（特許文献１参照）。
【先行技術文献】
【特許文献】
【０００３】
【特許文献１】特開２００３−３０９９２８号公報
【発明の概要】
【発明が解決しようとする課題】
【０００４】
ここで停電時にはエネルギー管理装置や負荷機器への電力供給が停止してしまう。エネルギー管理システムにおいて分散電源が備えられている場合、当該分散電源により停電時にも電力供給が行われるように制御することも考えられている。しかし、停電時の措置としては単に分散電源からの電源供給だけではまだまだ不十分な点があるため、停電時における適切な措置が望まれている。
【０００５】
従って、上記のような課題に鑑みてなされた本発明の目的は、停電時において適切な措置をとることができるエネルギー管理装置、エネルギー管理システム、及びエネルギー管理システムの制御方法を提供することにある。
【課題を解決するための手段】
【０００６】
上記課題を解決するために本発明に係るエネルギー管理装置は、
需要家に設けられ、需要家内の負荷機器あるいは分散電源の電力状態を管理するエネルギー管理装置であって、
電力供給を受ける電源入力部と、
前記電源入力部における商用電源からの電力供給が無い場合に、停電情報を通信端末に通知する制御部と、
を備えることを特徴とする。
【０００７】
また本発明に係るエネルギー管理装置は、
前記電源入力部が前記電源入力部における前記商用電源からの電力供給が無くなった場合に、分散電源からの電力供給を受け、
前記制御部は、前記分散電源からの電力供給が行われてから前記停電情報を前記通信端末に通知することを特徴とする。
【０００８】
また本発明に係るエネルギー管理装置は、
前記電源入力部が、分散電源からの電力供給を受け、
前記制御部は、前記電源入力部における前記商用電源からの電力供給が無くなると前記エネルギー管理装置をシャットダウンさせ、その後、前記分散電源からの電力供給により前記エネルギー管理装置を再度動作させることを特徴とする。
【０００９】
また本発明に係るエネルギー管理装置は、
前記商用電源からの電力供給により充電され、少なくとも前記シャットダウンの処理の間の電源供給を可能な容量を有するキャパシタをさらに備えることを特徴とする。
【００１０】
また本発明に係るエネルギー管理装置は、
前記電源入力部が、分散電源からの電力供給を受け、
前記制御部は、前記分散電源からの停電状態情報に基づき、前記停電情報を前記通信端末に通知することを特徴とする。
【００１１】
また本発明に係るエネルギー管理装置は、
前記制御部がさらに、前記停電状態情報に基づき、復電情報を前記通信端末に通知することを特徴とする。
【００１２】
また本発明に係るエネルギー管理装置は、
前記制御部が、前記電源入力部における前記商用電源からの電力供給が無くなると前記エネルギー管理装置をシャットダウンさせ、復電後に前記停電情報を前記通信端末に通知することを特徴とする。
【００１３】
また本発明に係るエネルギー管理装置は、
記憶部をさらに備え、
前記制御部は、前記シャットダウンの処理において停電フラグを前記記憶部に格納し、復電後に前記停電フラグに基づき前記停電情報を前記通信端末に通知することを特徴とする。
【００１４】
また本発明に係るエネルギー管理装置は、
前記商用電源からの電力供給により充電され、少なくとも前記シャットダウンの処理の間の電源供給を可能な容量を有するキャパシタをさらに備えることを特徴とする。
【００１５】
また本発明に係るエネルギー管理システムは、
需要家に設けられて需要家内の負荷機器あるいは分散電源の電力状態を管理するエネルギー管理装置と、通信端末とを備えるエネルギー管理システムであって、
前記エネルギー管理装置は、商用電源からの電力供給が無い場合、停電情報を通信端末に送信し、
前記通信端末は、停電情報を受信した場合、停電情報に基づく表示を行うことを特徴とする。
【００１６】
また本発明に係るエネルギー管理システムの制御方法は、
需要家に設けられて需要家内の負荷機器あるいは分散電源の電力状態を管理するエネルギー管理装置と、通信端末とを備えるエネルギー管理システムの制御方法であって、
前記エネルギー管理装置は、商用電源からの電力供給が無い場合、停電情報を通信端末に送信するステップと、
前記通信端末は、停電情報を受信した場合、停電情報に基づく表示を行うステップと、
を含むことを特徴とする。
【発明の効果】
【００１７】
本発明におけるエネルギー管理装置、エネルギー管理システム、及びエネルギー管理システムの制御方法によれば、停電時における適切な措置として停電情報を通信端末に通知することができる。
【図面の簡単な説明】
【００１８】
【図１】実施の形態１のエネルギー管理システムの概略構成を示すブロック図である。
【図２】実施の形態１のエネルギー管理装置の概略構成を示す機能ブロック図である。
【図３】実施の形態１の通信端末の概略構成を示す機能ブロック図である。
【図４】実施の形態１のエネルギー管理システムの動作を示すフローチャートである。
【図５】実施の形態２のエネルギー管理システムの概略構成を示すブロック図である。
【図６】実施の形態２のエネルギー管理装置の概略構成を示す機能ブロック図である。
【図７】実施の形態２のエネルギー管理システムの動作を示すフローチャートである。
【発明を実施するための形態】
【００１９】
以下、本発明の実施の形態について説明する。
【００２０】
（実施の形態１）
まず、第１の実施形態に係るエネルギー管理システムについて説明する。本実施形態に係るエネルギー管理システムは、電力系統（商用電源）から供給される電力の他に、分散電源を備える。分散電源としては、例えば電力を充放電することができる蓄電池システムを備える。以下、本実施形態においては、蓄電池システムとして蓄電部を備える例について説明する。
【００２１】
図１は本発明の実施の形態１に係るエネルギー管理システム１０の概略構成を示すブロック図である。本発明の実施の形態１に係るエネルギー管理システム１０は、エネルギー管理装置１１と、通信端末１２と、スマートメータ１３と、パワーコンディショナ１４と、蓄電部１５と、分電盤１６と、負荷機器１７とを備える。
【００２２】
図１において、各機能ブロックを結ぶ実線は、電力の流れを表す。また、図１において、各機能ブロックを結ぶ破線は、制御信号または通信される情報の流れを表す。当該破線が示す通信は有線通信としてもよいし、無線通信としてもよい。無線通信をする場合、無線ルータを介して通信が行われる。無線ルータはエネルギー管理装置１１に内蔵されていてもよく、またエネルギー管理装置１１とは別に備えられてもよい。
【００２３】
制御信号および情報の通信には、物理層、論理層含め、様々な方式を採用可能である。例えば、エネルギー管理装置１１と、通信端末１２、スマートメータ１３、およびパワーコンディショナ１４との通信には、ＺｉｇＢｅｅ（登録商標）などの近距離通信方式による通信を採用することができる。また、エネルギー管理装置１１と負荷機器１７との通信には、赤外線通信、電力線搬送通信（ＰＬＣ：Ｐｏｗｅｒ Ｌｉｎｅ Ｃｏｍｍｕｎｉｃａｔｉｏｎ）など、様々な伝送メディアを使用することができる。またそれぞれの通信に適した物理層の上で、各種プロトコルＺｉｇＢｅｅ  ＳＥＰ２．０（Ｓｍａｒｔ  Ｅｎｅｒｇｙ  Ｐｒｏｆｙｌｅ２．０）、ＥＣＨＯＮＥＴ  Ｌｉｔｅ（登録商標）などのような論理層だけ規定される通信プロトコルを動作させてもよい。以下、ＥＣＨＯＮＥＴ  Ｌｉｔｅ（登録商標）を、エネルギー管理装置１１が、通信端末１２、スマートメータ１３、パワーコンディショナ１４、および負荷機器１７との通信を行う場合に採用するケースを例に説明を行う。
【００２４】
エネルギー管理システム１０は、商用電源５０から供給される電力の他、蓄電部１５に充電された電力のうち放電された電力を、負荷機器１７及びエネルギー管理装置１１に供給可能である。
【００２５】
エネルギー管理装置１１は、図１に示すエネルギー管理システム１０における各機器の電力を制御および管理する。エネルギー管理装置１１の構成についての詳細は後述する。
【００２６】
通信端末１２は、エネルギー管理装置１１が送信する情報を表示する。例えば通信端末１２は、消費電力に関する情報等を表示する。また後述するようにエネルギー管理装置１１から停電情報または復電情報の通知を受けると、それぞれ停電中であること又は停電があったことを示すアイコン（以下、停電アイコンという。）、又は、復電したことを示すアイコン（以下、復電アイコンという。）を表示する。通信端末１２の構成についての詳細は後述する。もちろん、アイコンでなくとも文字列等、他の表現方法で表示してもよい。
【００２７】
スマートメータ１３は、商用電源５０に接続されて、商用電源５０から供給される電力を計測する。また、スマートメータ１３は、系統ＥＭＳ（Ｅｎｅｒｇｙ Ｍａｎａｇｅｍｅｎｔ Ｓｙｓｔｅｍ）６０から、例えば電力に関する予測などの情報を受信可能である。ここで、系統ＥＭＳ６０は、電力に関する各種の予測および制御などを行う設備であり、一般的には、例えば電力会社などに設置される。系統ＥＭＳ６０は、例えばＭＤＭＳ（メータデータマネジメントシステム）を構成するものを採用可能である。この系統ＥＭＳ６０は、各種の電力に関する情報を記憶するデータベース６１を有しており、スマートメータ１３が計測した結果の情報を収集して蓄積することもできる。また、系統ＥＭＳ６０は、インターネットなどの外部ネットワーク７０に接続可能である。
【００２８】
パワーコンディショナ１４は、蓄電部１５から供給される直流の電力を、交流の電力に変換する。また、パワーコンディショナ１４は、変換した交流の電力を、分電盤１６で複数に分岐した支幹を介して各負荷機器１７に供給する。また、パワーコンディショナ１４は、商用電源５０から供給される交流の電力を、蓄電部１５に充電するための直流の電力に変換可能である。
【００２９】
蓄電部１５は、蓄電池を備えており、この蓄電池に充電された電力を放電することにより、電力を供給可能である。また蓄電部１５は、商用電源５０から供給される電力を充電可能である。図１に示すように、蓄電部１５から放電される電力も、各負荷機器１７及びエネルギー管理装置１１に供給可能である。蓄電部１５から放電される電力をエネルギー管理装置１１及び各負荷機器１７に供給する場合、商用電源５０により供給される電力から、蓄電部１５により放電される電力に切り替える。
【００３０】
また蓄電部１５は、商用電源５０からの電力供給が停止しているか否か、すなわち停電状態であるか否かを判定し、停電中の状態であるか否かを示す情報（以下、停電状態情報という。）を生成する。また蓄電部１５は、停電状態情報を、エネルギー管理装置１１に送信する。
【００３１】
分電盤１６は、供給される電力を複数の支幹に分岐させて各負荷機器１７に分配する。ここで、各支幹には、消費電力の大きい代表的な負荷機器１７が直接接続されるものと、部屋ごとにまとめられたものとがある。前者における負荷機器１７は、例えばエアコン、冷蔵庫、ＩＨクッキングヒータなどである。後者における負荷機器１７は、各部屋にいくつか設けられているコンセントに接続される負荷機器であり、どのような負荷機器がコンセントに接続されるかは不定である。
【００３２】
図１において、エネルギー管理システム１０に接続される負荷機器１７は、任意の数とすることができる。これらの負荷機器１７は、例えば、テレビ、エアコン、冷蔵庫など、種々の電化製品である。これらの負荷機器１７は分電盤１６を介してパワーコンディショナ１４に接続されて、電力が供給される。
【００３３】
次に、実施形態１に係るエネルギー管理装置１１について、さらに説明する。
【００３４】
図２は、本実施形態に係るエネルギー管理装置１１の概略構成を示す機能ブロック図である。エネルギー管理装置１１は、例えばＨＥＭＳであって、通信部１１１と、電源入力部１１２と、キャパシタ１１３と、制御部１１４とを備える。
【００３５】
通信部１１１は、例えばインターフェースであり、通信端末１２、スマートメータ１３、パワーコンディショナ１４、および負荷機器１７との間における制御部１１４からの制御信号および様々な情報を送受信する。
【００３６】
例えば、通信部１１１は、スマートメータ１３から、商用電源５０の買電の電力および／または売電の電力を取得可能である。さらに、通信部１１１は、スマートメータ１３を介して例えば電力会社などから需要応答（Ｄｅｍａｎｄ Ｒｅｓｐｏｎｓｅ：ＤＲ）の情報を取得可能である。また、通信部１１１は、パワーコンディショナ１４から、蓄電部１５、および商用電源５０から分電盤１６で複数に分岐した支幹を介して負荷機器１７に供給される電力について、各支幹に設けたセンサを介して取得可能である。また、通信部１１１は、パワーコンディショナ１４から、蓄電部１５に充電される電力（つまり充電電力）量についても直接取得可能である。また、通信部１１１は、各負荷機器１７から消費電力についても直接取得可能である。また、通信部１１１は、ネットワーク７０から多様な情報を取得可能である。
【００３７】
さらに、通信部１１１は通信端末１２から制御信号を取得可能であり、また通信部１１１は通信端末１２にエネルギー管理システム１０における電力の制御および管理の状態を示す情報を通知する。一例として、ＥＣＨＯＮＥＴ  Ｌｉｔｅ（登録商標）を採用するケースを例に説明を行う。
【００３８】
電源入力部１１２は、スマートメータ１３及び分電盤１６を介して商用電源５０及び蓄電部１５からの電力供給を受ける。
【００３９】
キャパシタ１１３は、例えばスーパキャパシタにより構成され、電源入力部１１２が受けた電力供給（つまり商用電源５０からの電力供給など）により充電される。そしてキャパシタ１１３は、停電により電源入力部１１２が商用電源５０からの電力供給が停止した場合、充電した電力を放電し、エネルギー管理装置１１の電力供給を商用電源５０に代替して行う。すなわちキャパシタ１１３は、停電時において臨時的に電力供給を代替するバックアップ電源である。当該キャパシタ１１３により、エネルギー管理装置１１は、停電時においても、キャパシタ１１３に充電された電力の範囲内で所定時間、動作を継続することができる。すなわち後述するように、エネルギー管理装置１１は、キャパシタ１１３に充電された電力の範囲内でシャットダウン処理を行う。
【００４０】
制御部１１４は、通信部１１１が取得する様々な情報に基づいて、エネルギー管理システム１０における各機器の電力を制御する制御信号および／または通信端末１２に通知する情報を生成する。
【００４１】
また制御部１１４は、エネルギー管理システム１０における各機器の電力を管理するために、通信部１１１が取得する情報を蓄積する。制御部１１４は収集した各種の情報を蓄積するために、データベース２５を有している。データベース２５は、任意のメモリ装置などにより構成することができ、エネルギー管理装置１１の外部に接続されるようにしてもよいし、エネルギー管理装置１１に内蔵されるようにしてもよい。
【００４２】
また制御部１１４は、電源入力部１１２における商用電源５０からの電力供給を監視し、電力供給の有無を判定する。制御部１１４は、当該電力供給が無い場合、通信部１１１を介して停電に係る情報（以下、停電情報という。）を通信端末１２に通知する。
【００４３】
具体的には制御部１１４は、電源入力部１１２における商用電源５０からの電力供給が無い場合、停電であると判定する。このときエネルギー管理装置１１は、キャパシタ１１３からの電力供給により動作し、まずエネルギー管理装置１１のシャットダウン処理を行う。またこのときエネルギー管理装置１１は、電力供給を商用電源５０から蓄電部１５に切り替える。すなわち、ＥＣＨＯＮＥＴ  Ｌｉｔｅ（登録商標）により、停電中であることを通知する特定のコードを蓄電部１５に対して送信し、さらに電力供給を商用電源５０から蓄電部１５に切り替えるよう指示する特定のコードを送信する。
【００４４】
制御部１１４は、シャットダウン後に蓄電部１５からの電力供給によりエネルギー管理装置１１の動作を再開、すなわち再起動処理を行う。再起動処理後、制御部１１４は、蓄電部１５から、ＥＣＨＯＮＥＴ  Ｌｉｔｅ（登録商標）により、停電状態情報のコードを取得する。そして制御部１１４は、当該停電状態情報のコードに基づき、停電状態であるか否かを判定する。制御部１１４は、当該判定により通信部１１１を介して通信端末１２に停電情報又は復電に係る情報（以下、復電情報という。）をＥＣＨＯＮＥＴ  Ｌｉｔｅ（登録商標）上で規定した特定のコードにより、通知する。ここで停電情報とは、停電状態情報そのものであってもよく、また、停電状態情報を加工した情報であってもよい。例えば制御部１１４は、停電状態情報を取得した時刻に係る情報を保持し、停電情報に当該時刻に係る情報を含めるようにしてもよい。同様に復電情報とは、停電状態情報そのものであってもよく、また、停電状態情報を加工した情報であってもよい。例えば制御部１１４は、停電状態情報を取得した時刻に係る情報を保持し、復電情報に当該時刻に係る情報を含めるようにしてもよい。
【００４５】
ここで制御部１１４は、通信部１１１を介して無線通信により通信端末１２に通知を行う場合、停電直後には無線ルータが停電により動作できないため通信を行うことができない。しかしながら電力供給が商用電源５０から蓄電部１５に切り替わった後、すなわちエネルギー管理装置１１の再起動後には、無線ルータは蓄電部１５からの電力供給により動作可能であり、通信を行うことができる。
【００４６】
制御部１１４は、好適には通信端末１２に対する通知を、ＥＣＨＯＮＥＴ Ｌｉｔｅ（登録商標）の規格で定められる異常内容コード割り当てに基づくコードにより通知する。また制御部１１４は、好適には当該通知をマルチキャスト送信する。ＥＣＨＯＮＥＴ Ｌｉｔｅ（登録商標）においては、例えば異常についてなど、色々なステータスについて各種のコードが割当てられている。そして停電情報及び復電情報としては、復帰可能な異常の分類に含まれるユーザ定義領域のコードを用いる。例えば停電情報として、異常内容コードの下位１バイトを“０ｘ０９”とし、異常内容コードの上位１バイトを“０ｘ００”としたコードを割当てる。一方、復電情報として、異常内容コードの下位１バイトを“０ｘ０９”とし、異常内容コードの上位１バイトを“０ｘ０４”としたコードを割当てる。
【００４７】
図３は、実施形態１に係る通信端末１２の概略構成を示す機能ブロック図である。通信端末１２は、専用に設計された端末とする他、モバイル端末、パソコン（ＰＣ）、ノートパソコン、またはタブレットＰＣなどにアプリケーションソフトウェアをインストールしたものとするなど、各種の端末とすることができる。通信端末１２は、表示部１２１、入力検出部１２２、制御部１２３、および通信部１２４を含んで構成される。
【００４８】
表示部１２１は、例えば液晶ディスプレイ（ＬＣＤ）または有機ＥＬディスプレイ等により構成することができる。また、本実施形態において、表示部１２１は、単色表示またはグレイスケールによって表示するものを用いることもできるが、一般のユーザが一見して容易に把握できるような態様で表示を行うために、カラー表示に対応したものを用いるのが好適である。
【００４９】
表示部１２１は、エネルギー管理装置１１から受信した消費電力に関する情報等を表示する。表示部１２１は、制御部１２３の制御により、エネルギー管理装置１１から停電情報または復電情報の通知を、通信部１２４を介して受けると、それぞれ停電アイコンまたは復電アイコンを表示する。また、表示部１２１は、エネルギー管理装置１１の有する機能を実行させるための様々な入力を受付けるための画像を表示可能である。
【００５０】
入力検出部１２２は、表示部１２１における表示に対応する入力を検出する。入力検出部１２２は、例えばタッチパネルであり、ユーザが指などにより直接触れる操作を検出可能である。また、入力検出部１２２は、マルチタッチ、すなわち、入力検出部１２２の接触検出面上の複数の箇所への接触を検出可能である。
【００５１】
タッチパネルは透過性の部材により形成され、表示部１２１の前面に重ねて配置される。このような構成により、表示部１２１に表示したアイコンのオブジェクトなどへの接触を検出可能である。したがって、このような構成のタッチパネルによる入力検出部１２２は、ユーザに直感的な操作性を提供可能である。また、もちろんタッチパネルではなく、物理キーを有するタイプの操作手段を入力検出部１２２として採用してもよい。
【００５２】
制御部１２３は、通信端末１２を構成する各機能部を制御することにより、通信端末１２全体を制御および管理する。
【００５３】
通信部１２４は、例えばインターフェースであり、エネルギー管理装置１１と有線通信又は無線通信を行う。すなわち、通信部１２４はエネルギー管理装置１１に制御信号および／または情報を送信するとともに、エネルギー管理装置１１からの制御信号および／または情報を受信する。通信部１２４は、通信端末１２が有線通信でエネルギー管理装置１１と通信する場合は、エネルギー管理装置１１に接続されたケーブルを通信端末１２に接続するためのコネクタのレセプタクルとすることができる。
【００５４】
次に、実施の形態１のエネルギー管理システム１０について、図４に示すフローチャートによりその動作を説明する。
【００５５】
はじめにエネルギー管理装置１１の制御部１１４は、電源入力部１１２における商用電源５０からの電力供給を監視し、電力供給の有無を判定する（ステップＳ１１）。電力供給が無い場合ステップＳ１２に進む。一方電力供給がある場合、ステップＳ１１を繰り返し行う。
【００５６】
電力供給が無い場合、制御部１１４は、停電であると判定する。このときエネルギー管理装置１１はキャパシタ１１３からの電力供給により動作し、制御部１１４は、エネルギー管理装置１１のシャットダウン処理を行う（ステップＳ１２）。またこのときエネルギー管理装置１１は、電力供給を商用電源５０から蓄電部１５に切り替える。
【００５７】
続いて制御部１１４は、シャットダウン後に蓄電部１５からの電力供給によりエネルギー管理装置１１の動作を再開、すなわち再起動処理を行う（ステップＳ１３）。
【００５８】
続いて制御部１１４は、蓄電部１５から、停電状態情報を取得し、停電中であるか否かを判定する（ステップＳ１４）。停電中であると判定した場合、ステップＳ１５に進む。一方停電中ではないと判定した場合（復電したと判定した場合）、ステップＳ１７に進む。
【００５９】
ステップＳ１４において停電中であると判定した場合、制御部１１４は、通信部１１１を介して通信端末１２に停電情報を通知する（ステップＳ１５）。具体的には制御部１１４は、停電情報として、現在停電中であることを通信端末１２に通知する。通信端末１２の制御部１２３は、通信部１２４を介して停電情報の通知を受けると、表示部１２１に停電アイコンを表示させる（ステップＳ１６）。そしてステップＳ１４に戻る。
【００６０】
ステップＳ１４において停電中ではないと判定した場合、制御部１１４は、通信端末１２に復電情報を通知する（ステップＳ１７）。このときエネルギー管理装置１１は、電力供給を蓄電部１５から商用電源５０に切り替える。通信端末１２の制御部１２３は、通信部１２４を介して復電情報の通知を受けると、表示部１２１に復電アイコンを表示させる（ステップＳ１８）。ここで制御部１２３は、停電アイコンが表示されていた場合、当該停電アイコンを消去して復電アイコンを表示する。
【００６１】
このように本発明の実施の形態１によれば、エネルギー管理装置１１が停電を検知して通信端末１２に停電情報を通知するため、停電時における適切な措置として停電情報を通信端末１２に通知することができる。また当該停電情報の通知により、商用電源５０ではなく蓄電部１５により電力供給を受けていることをユーザに認知させることができ、停電中における電力消費を抑制させることができる。
【００６２】
ステップＳ１６において通信端末１２の制御部１２３は、停電アイコンが表示されていた場合、当該停電アイコンを消去して復電アイコンを表示するようにしたがこれに限られない。制御部１２３は、停電アイコンが表示されていた場合、当該停電アイコンを残したまま、復電アイコンを表示してもよい。このようにすることで、ユーザは過去に停電が生じたことを認知できるため、例えばビデオデッキのタイマー設定やエアコン機器の予約設定が停電によりリセット等されていないか否か、ユーザに再確認させることができる。
【００６３】
（実施の形態２）
以下に、本発明の実施の形態２について説明をする。図５は本発明の実施の形態２のエネルギー管理システム１０ｂの構成を示すブロック図である。実施の形態１と同一の構成については同一の符号を付し、説明は省略する。実施の形態２に係るエネルギー管理システム１０ｂは、実施の形態１にかかる構成と比較して、蓄電部１５を備えない点、及びエネルギー管理装置１１ｂの構成が相違する。
【００６４】
図６は、実施形態２に係るエネルギー管理装置１１ｂの概略構成を示す機能ブロック図である。実施の形態１と同一の構成については同一の符号を付し、説明は省略する。実施の形態２に係るエネルギー管理装置１１ｂは、実施の形態１にかかる構成と比較して、記憶部１１５を備える点及び制御部１１４ｂの行う制御が相違する。
【００６５】
エネルギー管理装置１１ｂは、例えばＨＥＭＳであって、通信部１１１と、電源入力部１１２と、キャパシタ１１３と、制御部１１４ｂと、記憶部１１５とを備える。
【００６６】
制御部１１４ｂは、電源入力部１１２における商用電源５０からの電力供給を監視し、電力供給の有無を判定する。そして制御部１１４ｂは、電源入力部１１２における商用電源５０からの電力供給が無い場合、停電であると判定する。このときエネルギー管理装置１１ｂは、キャパシタ１１３からの電力供給により動作し、エネルギー管理装置１１ｂのシャットダウン処理を行う。また、制御部１１４ｂはシャットダウン処理において、停電であることを示すフラグ（以下、停電フラグという。）を記憶部１１５に格納する。
【００６７】
また制御部１１４ｂは、復電した場合、エネルギー管理装置１１ｂを起動した後に記憶部１１５を参照する。そしてエネルギー管理装置１１ｂは、停電フラグに基づき過去の停電による停電情報を通信端末１２に通知する。
【００６８】
次に、実施の形態２のエネルギー管理システム１０ｂについて、図７に示すフローチャートによりその動作を説明する。実施の形態１と同一の動作については同一の符号を付し、説明は省略する。
【００６９】
実施の形態２のエネルギー管理システム１０ｂは、ステップＳ１１において電力供給が無い場合、ステップＳ２１に進む。一方電力供給がある場合、ステップＳ１１を繰り返して行う。
【００７０】
ステップＳ１１において電力供給が無い場合、エネルギー管理装置１１ｂの制御部１１４ｂは停電であると判定し、停電フラグを記憶部１１５に格納する（ステップＳ２２）。このときエネルギー管理装置１１はキャパシタ１１３からの電力供給により動作し、制御部１１４は、エネルギー管理装置１１のシャットダウン処理を行う（ステップＳ２３）。
【００７１】
続いて復電した場合、制御部１１４ｂは、エネルギー管理装置１１ｂを起動する（ステップＳ２４）。そして制御部１１４ｂは、起動後に記憶部１１５を参照して停電フラグを取得する（ステップＳ２５）。そしてエネルギー管理装置１１ｂは、停電フラグに基づき過去の停電による停電情報をＥＣＨＯＮＥＴ  Ｌｉｔｅ（登録商標）における特定のコードを送信することにより、通信端末１２に通知する（ステップＳ２６）。通信端末１２の制御部１２３は、通信部１２４を介して停電情報の通知を受けると、表示部１２１に停電アイコンを表示させる（ステップＳ２７）。
【００７２】
このように本発明の実施の形態２によれば、エネルギー管理装置１１が電源入力部１１２への電力供給の有無に基づき停電を検知し、復電後に通信端末１２に停電情報を通知するため、停電後における適切な措置として停電情報を通信端末１２に通知することができる。また当該停電情報の通知により、ユーザは過去に停電が生じたことを認知できるため、例えばビデオデッキのタイマー設定やエアコン機器の予約設定が、停電によりリセット等されていないか否か、再確認させることができる。
【００７３】
実施の形態２においてエネルギー管理装置１１ｂは記憶部１１５を備え、記憶部１１５に停電フラグを格納するものとしたがこれに限られない。エネルギー管理装置１１ｂは、記憶部１１５を備える替わりに、停電フラグをデータベース２５に格納するようにしてもよい。
【００７４】
またエネルギー管理装置１１ｂは、停電フラグに対応付けて、電力供給が無くなった時刻を示す情報を記憶部１１５に格納してもよい。この場合、停電情報に当該時刻情報を含む。そして通信端末１２は、停電アイコンとともに、当該時刻情報を表示する。このようにすることで、ユーザは、過去のある時刻に停電が発生したことを認知することができる。
【００７５】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【符号の説明】
【００７６】
１０、１０ｂ  エネルギー管理システム
１１、１１ｂ  エネルギー管理装置
１２  通信端末
１３  スマートメータ
１４  パワーコンディショナ
１５  蓄電部
１６  分電盤
１７  負荷機器
２５  データベース
５０  商用電源
６０  系統ＥＭＳ
６１  データベース
７０  ネットワーク
１１１  通信部
１１２  電源入力部
１１３  キャパシタ
１１４、１１４ｂ  制御部
１１５  記憶部
１２１  表示部
１２２  入力検出部
１２３  制御部
１２４  通信部
【図１】
2014033578.tif 000003
【図２】
2014033578.tif 000004
【図３】
2014033578.tif 000005
【図４】
2014033578.tif 000006
【図５】
2014033578.tif 000007
【図６】
2014033578.tif 000008
【図７】
2014033578.tif 000009